【手続補正書】
【提出日】平成15年12月9日(2003.12.9)
【手続補正１】
【補正対象書類名】明細書
【補正対象項目名】特許請求の範囲
【補正方法】変更
【補正の内容】
【特許請求の範囲】
【請求項１】
欠陥管理領域と、欠陥ブロックの交替用スペア領域と、書き込みまたは読み取りを行うデータ領域とを含む光学記録媒体の欠陥のある領域を管理する方法において：
（ａ）スペア領域が一杯かどうかをチェックするステップと；
（ｂ）前記ステップ（ａ）の結果に基づいて発見される欠陥ブロックを管理するステップであって、スペア領域が一杯の場合は欠陥ブロックがスペア領域の交替ブロックに置換されないステップと；
（ｃ）欠陥ブロックの位置情報と、欠陥ブロックが交替ブロックに置換されないことを示す指示情報とを欠陥管理領域に記録するステップと
を含むことを特徴とする方法。
【請求項２】
ステップ（ｃ）は、交替ブロックの位置情報をゼロに記録するステップを含むことを特徴とする請求項１に記載の方法。
【請求項３】
（ｄ）前記ステップ（ａ）でスペア領域が一杯でない場合は、欠陥ブロックをスペア領域の交替ブロックに置換するステップと；
（ｅ）欠陥ブロックの位置情報と、欠陥ブロックが交替ブロックに置換されることを示す指示情報とを欠陥管理領域に記録するステップと
をさらに含むことを特徴とする請求項１に記載の方法。
【請求項４】
ステップ（ｅ）は、交替ブロックの位置情報を有効な値に記録するステップを含むことを特徴とする請求項３に記載の方法。
【請求項５】
欠陥管理領域と、欠陥ブロックの交替用スペア領域と、書き込みまたは読み取りを行うデータ領域とを含む光学記録媒体の欠陥のある領域を管理する方法において、
（ａ）ブロックに欠陥があるかどうかを判定するステップと；
（ｂ）ブロックに欠陥がある時、その欠陥ブロックのためのスペア領域が残っているか否かをチェックするステップと；
（ｃ）前記ステップ（ｂ）の結果に基づいて、欠陥ブロックに置換を実行するか否かを判定するステップと；
（ｄ）欠陥ブロックに置換を実行するか否かを示す情報を記録するステップと
を含むことを特徴とする方法。
【請求項６】
ステップ（ｂ）でスペア領域が残っている場合、ステップ（ｃ）で欠陥ブロックにリニア交替を実行することを特徴とする請求項５に記載の方法。
【請求項７】
ステップ（ｄ）は、欠陥ブロックにリニア交替を実行することを示す情報を記録することを特徴とする請求項６に記載の方法。
【請求項８】
ステップ（ｂ）で欠陥ブロックを置換するためのスペア領域がない場合、ステップ（ｃ）で欠陥ブロックにリニア交替を実行しないと判定することを特徴とする請求項５に記載の方法。
【請求項９】
ステップ（ｄ）は、欠陥ブロックにリニア交替を実行しないことを示す情報を記録することを特徴とする請求項８に記載の方法。
【請求項１０】
ステップ（ｄ）は、アドレスの有効な指示を行わずに、置換するブロックの位置情報を記録するステップを含むことを特徴とする請求項９に記載の方法。
【請求項１１】
（ａ）欠陥管理情報を含む欠陥管理領域と；
（ｂ）欠陥ブロックを置換するためのスペア領域と；
（ｃ）書き込みまたは読み取りを行うデータ領域と
を備える光学記録媒体であって、前記欠陥管理情報は：
（１）スペア領域が一杯であるかどうかを示すステータス情報と、
（２）欠陥ブロックをスペア・ブロックに置換するか否かを示す指示情報と
を含み、データの記録モードまたは読み取りモードにおいてステータス情報に基づきスペア領域が一杯である場合には、欠陥ブロックをスペア・ブロックに置換しないことを示すように指示情報を設定することを特徴とする光学記録媒体。
【請求項１２】
ステータス情報に基づきスペア領域が一杯である時、欠陥管理情報はさらに、値を指定せずに交替ブロックの位置情報を含むことを特徴とする請求項１１に記載の記録媒体。
【請求項１３】
ステータス情報に基づきスペア領域が一杯でない時、欠陥ブロックをスペア・ブロックに置換することを示すように指示情報を設定することを特徴とする請求項１１に記載の光学記録媒体。
【請求項１４】
欠陥管理情報は、さらに、値を指定して交替ブロックの位置情報を含むことを特徴とする請求項１３に記載の光学記録媒体。
【請求項１５】
欠陥管理領域と、欠陥ブロックの交替用スペア領域と、書き込みまたは読み取りを行うデータ領域とを含む光学記録媒体の欠陥のある領域を管理する方法において：
（ａ）ブロックに欠陥があるかどうかを判定するステップと；
（ｂ）ブロックに欠陥がある時、欠陥ブロックのためのスペア領域が残っているか否かをチェックするステップと；
（ｃ）前記ステップ（ｂ）の結果に基づいて、欠陥ブロックに置換を実行するか否かを判定するステップと；
（ｄ）スペア領域が残っていない場合は、欠陥ブロックに置換を実行しないことを示す情報を記録するステップと
を含むことを特徴とする方法。
【請求項１６】
ステップ（ｂ）は、ステータス情報に基づいて、欠陥ブロックのためのスペア領域が残っているか否かをチェックすることを特徴とする請求項１５に記載の方法。
【請求項１７】
スペア領域が残っている場合、ステップ（ｃ）は、欠陥ブロックにリニア交替を実行すると判定することを特徴とする請求項１６に記載の方法。
【請求項１８】
ステップ（ｄ）は、欠陥ブロックにリニア交替を実行することを示す情報を記録することを特徴とする請求項１７に記載の方法。
【請求項１９】
ステップ（ｄ）はさらに、値を指定して、置換したスペア・ブロックの位置情報を記録することを特徴とする請求項１７に記載の方法。
【請求項２０】
欠陥管理領域と、欠陥ブロックの交替用スペア領域と、書き込みまたは読み取りを行うデータ領域とを含む光学記録媒体の欠陥のある領域を管理する方法において：
（ａ）ブロックに欠陥があるかどうかを判定するステップと；
（ｂ）ブロックに欠陥がある時、欠陥ブロックを置換するためのスペア領域が残っているか否かをチェックするステップと；
（ｃ）前記ステップ（ｂ）の結果に基づいて、欠陥ブロックに交替を実行するか否かを判定するステップと；
（ｄ）スペア領域が残っていない場合、欠陥ブロックに交替を実行しないことを示す情報を記録し、交替ブロックの位置情報を指定しないステップと
を含むことを特徴とする方法。
【請求項２１】
欠陥管理領域と、欠陥ブロックの交替用スペア領域と、書き込みまたは読み取りを行うデータ領域とを含む光学記録媒体の欠陥のある領域を管理する方法において：
（ａ）欠陥ブロックを置換するのに使用可能なスペア・ブロックがスペア領域中に残っているかどうかをチェックするステップと；
（ｂ）前記ステップ（ａ）の結果に基づいて、欠陥ブロックをスペア領域の交替ブロックに置換するか否かを示すステータス情報を設定するステップと
を含むことを特徴とする方法。
【請求項２２】
ステップ（ａ）は、スペア領域が一杯であるか否かを示す情報に基づいて、スペア領域のステータスをチェックすることを特徴とする請求項２１に記載の方法。
【請求項２３】
使用可能なスペア・ブロックがある場合、ステップ（ｂ）は、欠陥ブロックをスペア領域の交替ブロックに置換することを示すステータス情報を設定することを特徴とする請求項２１に記載の方法。
【請求項２４】
ステップ（ｂ）はさらに：
値を指定して交替ブロックの位置情報を記録するステップ
を含むことを特徴とする請求項２３に記載の方法。
【請求項２５】
使用可能なスペア・ブロックがない場合、ステップ（ｂ）は、欠陥ブロックをスペア領域の交替ブロックに置換しないことを示すステータス情報を設定することを特徴とする請求項２１に記載の方法。
【請求項２６】
ステップ（ｂ）はさらに：
値を指定せずに交替ブロックの位置情報を記録するステップ
を含むことを特徴とする請求項２５に記載の方法。
【請求項２７】
ステップ（ｂ）はさらに：
交替ブロックの位置情報をゼロの値に記録するステップ
を含むことを特徴とする請求項２５に記載の方法。
【請求項２８】
欠陥管理領域と、欠陥ブロックの交替用スペア領域と、書き込みまたは読み取りを行うデータ領域とを含む光学記録媒体の欠陥のあるデータを管理する方法において：
（ａ）欠陥ブロックを置換するためのスペア・ブロックがスペア領域に残っているか否かをチェックするステップと；
（ｂ）前記ステップ（ａ）の結果に基づいて、欠陥ブロックをスペア領域中の交替ブロックに置換するか否かを判定するステップと
を含むことを特徴とする方法。
【請求項２９】
ステップ（ａ）は、スペア領域が一杯であるか否かを示す指示情報に基づいて、スペア領域のステータスをチェックすることを特徴とする請求項２８に記載の方法。
【請求項３０】
スペア・ブロックがある場合、ステップ（ｂ）は、欠陥ブロックをスペア領域中の交替ブロックに置換することを特徴とする請求項２９に記載の方法。
【請求項３１】
スペア・ブロックがない場合、ステップ（ｂ）は、欠陥ブロックをスペア領域中の交替ブロックに置換しないと判定することを特徴とする請求項２９に記載の方法。
【請求項３２】
（ｃ）欠陥ブロックを交替ブロックに置換するか否かを示す情報を記録するステップ
をさらに含むことを特徴とする請求項２８に記載の方法。
【請求項３３】
（ｃ）前記ステップ（ｂ）に基づいて、値を指定して、または指定せずに交替ブロックの位置情報を記録するステップ
をさらに含むことを特徴とする請求項３２に記載の方法。
【請求項３４】
欠陥管理情報を含む欠陥管理領域と；
欠陥ブロックの交替用スペア領域と；
書き込みまたは読み取りを行うデータ領域と
を備える光学記録媒体であって、
前記欠陥管理情報は：
（１）スペア領域が一杯であるか否かを示すステータス情報と；
（２）欠陥ブロックをスペア領域中のスペア・ブロックに置換するか否かを示し、媒体にデータを書き込む、または媒体からデータを読み取る際に、前記ステータス情報に応じてある値に設定される指示情報と
を含むことを特徴とする記録媒体。
【請求項３５】
欠陥ブロックの位置を示す第１の情報と、媒体にデータを書き込む、または媒体からデータを読み取る際に、ステータス情報に基づいて、値を指定して、または指定せずに交替ブロックの位置を示す第２の情報とをさらに含むことを特徴とする請求項３４に記載の光学記録媒体。